(57)【要約】【課題】電気機器の複数の制御項目の設定を、複数の制御項目に共通の操作部により行うものにおいて、操作部から得る各制御項目毎の感触を識別しやすくすることによって、どの制御項目の設定を行っているかを認識しやすくすることができる力覚付与型設定装置の提供。【解決手段】風量設定時にロータリノブ４（共通の操作部）に付与する力覚のパターン３０は、風量の操作範囲の上限３２および下限３１を超えるロータリノブ４の回転操作を阻止するようにする。吹出口設定時の力覚のパターン５０は、ロータリノブ４の回転操作を阻止しないようにする。【選択図】図１
2005081908.tif 000002
【特許請求の範囲】
【請求項１】
電気機器の複数の制御項目から任意の制御項目を選択するために操作するの選択操作部と、
前記選択操作部の操作により選択した制御項目の設定を変更するために操作する前記複数の制御項目に共通の設定操作部と、
前記設定操作部の操作状態を検出する操作状態検出手段と、
前記設定操作部に力覚を付与する力覚付与手段と、
前記選択操作部の操作により任意の制御項目が選択されると、前記操作状態検出手段により検出された前記設定操作部の操作状態と、各制御項目毎に予め設定された力覚のパターンとに基づいて、前記力覚付与手段から前記設定操作部に対して各制御項目毎に異なる力覚のパターンが付与されるように、前記力覚付与手段を制御する制御装置とを備え、
前記複数の制御項目のうち少なくとも１つの制御項目の設定時の力覚のパターンが、前記設定操作部の操作状態が予め設定した操作状態になったときに設定操作部の操作を阻止するように設定され、残りの制御項目のうち、少なくとも他の１つの制御項目の設定時の力覚のパターンが、前記設定操作部の操作を阻止しないように設定されることを特徴とする力覚付与型設定装置。
【請求項２】
前記電気機器が、制御項目である風量および吹出口の設定の変更が可能なカーエアコンであって、風量設定時の力覚のパターンが、風量の設定範囲に対応するロータリノブの回転範囲の上限および下限において、これら上限および下限を超える方向へのロータリノブの回転操作を阻止するように設定され、
吹出口設定時の力覚のパターンが、ロータリノブの回転操作を阻止しないように設定されたものであることを特徴とする請求項１記載の力覚付与型設定装置。
【請求項３】
前記電気機器が、制御項目である温度および吹出口の設定の変更が可能なカーエアコンであって、温度設定時の力覚のパターンが、温度の設定範囲に対応するロータリノブの回転範囲の上限および下限において、これら上限および下限を超える方向へのロータリノブの回転操作を阻止するように設定されたものであり、
吹出口の設定時の力覚のパターンが、ロータリノブの回転操作を阻止しないように設定されたものであることを特徴とする請求項１記載の力覚付与型設定装置。
【発明の詳細な説明】
【技術分野】
【０００１】
本発明は、電気機器の複数の制御項目の設定を、これら制御項目に共通の操作部により行うものであって、各制御項目の設定時に、各制御項目毎に異なるパターンの力覚を操作部に与えて、どの制御項目についての設定を行っているかを操作部から得る感触から認識できるようにした力覚付与型設定装置に係り、操作部に与える力覚を改善したものに関する。
【背景技術】
【０００２】
従来から、車載用設定装置、例えばカーエアコンの設定装置には、カーエアコンの複数の制御項目、すなわち、風量、温度、吹出口の設定を、これらの制御項目に共通のロータリノブ（操作部）により変更可能にするとともに、各制御項目毎に異なる力覚のパターンが予め設定された力覚付与型設定装置がある。力覚のパターンは、ロータリノブの回転角が所定の回転角変化する度毎にクリック感触を発生させるというものであり、クリック感触を変化させたり、クリック感触を発生させる間隔を変えることによって、各制御項目毎に異なるパターンに設定されている。
【特許文献１】２００２−１８９５６０公報（段落番号００３３、図６）
【発明の開示】
【発明が解決しようとする課題】
【０００３】
上述した従来の力覚付与型設定装置では、クリック感触やクリック感触を発生させる間隔を変えることにより、各力覚のパターンが互いに異なるもになっているものの、操作者がロータリノブから得る感触が似ている。このため、運転者が運転しながらロータリノブを操作する場合のように、ロータリノブから得る感触に意識を集中できない状態では、操作部から得る各制御項目毎の感触を識別することが困難であり、どの制御項目の設定の変更を行っているかを認識できないことがあるという問題があった。
【０００４】
本発明は、上述の実情を考慮してなされてもので、その目的は、電気機器の複数の制御項目の設定を、複数の制御項目に共通の操作部により行うものにおいて、操作部から得る各制御項目毎の感触を識別しやすくすることによって、どの制御項目の設定を行っているかを認識しやすくすることができる力覚付与型設定装置を提供することにある。
【課題を解決するための手段】
【０００５】
上述の目的を達成するために、本発明は、電気機器の複数の制御項目から任意の制御項目を選択するために操作するの選択操作部と、前記選択操作部の操作により選択した制御項目の設定を変更するために操作する前記複数の制御項目に共通の設定操作部と、前記設定操作部の操作状態を検出する操作状態検出手段と、前記設定操作部に力覚を付与する力覚付与手段と、前記選択操作部の操作により任意の制御項目が選択されると、前記操作状態検出手段により検出された前記設定操作部の操作状態と、各制御項目毎に予め設定された力覚のパターンとに基づいて、前記力覚付与手段から前記設定操作部に対して各制御項目毎に異なる力覚のパターンが付与されるように、前記力覚付与手段を制御する制御装置とを備え、前記複数の制御項目のうち少なくとも１つの制御項目の設定時の力覚のパターンが、前記設定操作部の操作状態が予め設定した操作状態になったときに設定操作部の操作を阻止するように設定され、残りの制御項目のうち、少なくとも他の１つの制御項目の設定時の力覚のパターンが、前記設定操作部の操作を阻止しないように設定されることを特徴とする。
【０００６】
このように構成した本発明では、設定操作部の操作が阻止されるときと、阻止されないときとで、設定操作部から得る感触が明らかに異なる。したがって、設定操作部から得る各制御項目毎の感触が識別しやすい。その結果、どの制御項目の設定を行っていいるかを認識しやすくすることができる。
【０００７】
また、本発明は、前記電気機器が、制御項目である風量および吹出口の設定の変更が可能なカーエアコンであって、風量設定時の力覚のパターンが、風量の設定範囲に対応するロータリノブの回転範囲の上限および下限において、これら上限および下限を超える方向へのロータリノブの回転操作を阻止するように設定され、吹出口設定時の力覚のパターンが、ロータリノブの回転操作を阻止ししないように設定されたものであることを特徴とする。
【０００８】
このように構成した本発明では、風量設定時に設定操作部から得る感触と、吹出口設定時に設定操作部から得る感触とを確実に識別することができる。その結果、風量と吹出口のどちらの設定を行っているのかを確実に認識することができる。
【０００９】
また、本発明は、前記電気機器が、制御項目である温度および吹出口の設定の変更が可能なカーエアコンであって、温度設定時の力覚のパターンが、温度の設定範囲に対応するロータリノブの回転範囲の上限および下限において、これら上限および下限を超える方向へのロータリノブの回転操作を阻止するように設定されたものであり、吹出口の設定時の力覚のパターンが、ロータリノブの回転操作を阻止ししないように設定されたものであることを特徴とする。
【００１０】
このように構成した本発明では、温度設定時に設定操作部から得る感触と、吹出口設定時に設定操作部から得る感触とを確実に識別することができる。その結果、温度と吹出口のどちらの設定を行っているのかを確実に認識することができる。
【発明を実施するための最良の形態】
【００１１】
以下に本発明の車載用設定装置の一実施形態について図１〜図６を用いて説明する。
【００１２】
図１は、本発明の一実施形態に備えられる操作装置を示す正面図、図２は、図１に示す操作装置の構成を示す分解斜視図、図３は、本実施形態の電気系統を示すブロック図、図４は、本実施形態によりカーエアコンの風量を設定するときの力覚のパターンを示す模式図、図５は、本実施形態によりカーエアコンの温度を設定するときの力覚のパターンを示す模式図、図６は、本実施形態によりカーエアコンの吹出口を設定するときの力覚パターンを示す模式図である。
【００１３】
本実施形態は、図１に示す操作装置１を備えている。この操作装置１は、図１に示すように、並設される複数、例えば第１〜第３表示エリア２Ａ〜２Ｃを有し、これらの表示エリア２Ａ〜２Ｃのそれぞれに、カーエアコンの複数の制御項目の設定状態、例えば風量の設定値、温度の設定値および吹出口の設定状態を表示する表示部２を備えている。
【００１４】
第１表示エリア２Ａでは、風量の設定値を、自動制御を示す「ＡＵＴＯ」と、例えば６段階の数字「０」〜「６」と、各数字間に設けられるバーによって表示するようにしてある。つまり、自動制御が選択された場合には「ＡＵＴＯ」のみを点灯させるように設定してある。また、風量の設定値を表示する場合は「０」〜「６」すべての数字を表示させておき、風量の設定値を示す数字までの各数字間に位置するすべてバーを点灯させるようにしてある。例えば風量の設定値として「３」が選択された場合、「０」〜「６」のすべての数字と、「０」と「１」の間のバー、「１」と「２」の間のバー、「２」と「３」間のバーが点灯する。
【００１５】
第２表示エリア２Ｂでは、温度の設定値示す数字をデジタル表示するようにしてあり、最低温度１６℃〜最高温度３０℃までの範囲で、１℃刻みで表示するようにしてある。
【００１６】
また、第３表示エリア２Ｃには、顔側、胴側、足側のそれぞれへの風向を示す矢印を点灯させることによって、吹出口の設定状態を表示するようにしてある。吹出口の設定状態としては、足側のみへの送風、足側と胴側への送風、胴側のみへの送風、胴側と顔側への送風、顔側、胴側および足側の送風を表示するようにしてある。
【００１７】
第１〜第３表示エリア２Ａ〜２Ｃのそれぞれの下部近傍には、その表示エリアに表示される制御項目を選択するために操作する選択操作部、すなわち、押ボタンからなる第１〜第３選択ボタン３Ａ〜３Ｃのそれぞれを配置してある。つまり、第１表示エリア２Ａの下部近傍には、制御項目として風量を選択するための第１選択ボタン３Ａを配置してある。同様に、第２表示エリア２Ｂの下部近傍には、制御項目として温度を選択するための第２選択ボタン３Ｂを配置してある。また同様に、第３表示エリア２Ｃの下部近傍には、制御項目として吹出口を選択するための第３選択ボタン３Ｃを配置してある。
【００１８】
第１〜第３選択ボタン３Ａ〜３Ｃの下部近傍には、選択した制御項目の設定を変更するために操作するすべての制御項目に共通の設定操作部、例えばロータリノブ４を配置してある。このロータリノブ４は、回転軸に対して直交する方向における断面の基本形状を円形に形成してあり、この円形の周回りに回転操作されるものである。このロータリノブ４の中央には、手前（紙面の裏から表の方向）に突出する突出部４ａを設けてあり、突出部４ａの周側面には、操作者が突出部４ａを手指で把持したときの滑り止めとなる多数の小さい突起４ｂを設けてある。
【００１９】
また、操作装置１は、図２に示すように、筐体を形成する表カバー６と裏カバー１７を備えている。表カバー６には、第１〜第３選択ボタン３Ａ〜３Ｃのそれぞれが摺動可能に挿入される摺動孔６ａ〜６ｃと、ロータリノブ４が摺動可能に嵌め込まれる凹部６ｅと、この凹部６ｅの中央に設けられ、モータ８にロータリノブ４を固定するホルダ５を回転可能に挿入する軸孔６ｄと、表示部２の輪郭を形成する枠部６ｆとを設けてある。
【００２０】
表カバー６と裏カバー１７により構成される筐体の内部には、第１〜第３押ボタンスイッチ１６Ａ〜１６Ｃが設置されるプリント基板１５を収納してある。このプリント基板１５は、裏カバー１７に固定してある。また、第１〜第３選択ボタン３Ａ〜３Ｃのそれぞれは、第１〜第３ボタンホルダ７Ａ〜７Ｃのそれぞれにより保持してある。そして、第１〜第３選択ボタンが押圧操作されると、ボタンホルダ７Ａ〜７Ｃのそれぞれを介して第１〜第３押ボタンスイッチ１６Ａ〜１６Ｃが押圧操作されるようにしてある。
【００２１】
また、前記筐体の内部には、ロータリノブ４に力覚を付与する力覚付与手段、すなわち、ロータリノブ４に回転力を付与する前記モータ８を収納してある。このモータ８には、モータ８の出力軸の回転角、すなわち、ロータリノブ４の回転角を検出するロータリエンコーダ９を取り付けてある。
【００２２】
また、表カバー６とプリント基板１５の間には、枠部６ｆにより輪郭を形成されて表示部２を構成するＬＣＤ１０と、チップ型ＬＥＤ１８からの光をＬＣＤ１０に導く導光板１３と、ＬＣＤ１０と導光板１３の間に配置される光拡散シート１１，１２と、ＬＣＤ１０、導光板１３および光拡散シート１１，１２を保持するとともに側部に前記チップ型ＬＥＤ１８が設けられるＬＣＤホルダ１４とを配置してある。ＬＣＤホルダ１４は、プリント基板１５に固定してある。
【００２３】
制御装置２０は、電源２５により駆動するＣＰＵ２０ａ、ＲＯＭ２０ｂおよびＥＥＰＲＯＭ２０ｃを備えている。
【００２４】
ＣＰＵ２０ａは、第１〜第３押ボタンスイッチ１６Ａ〜１６ＣのそれぞれからのＯＮ信号、ロータリエンコーダ９からの検出信号に応じて、モータ８の制御、ＬＣＤ１０の制御、カーエアコンの制御を行うとともに、制御装置２０全体の制御を行うものである。
【００２５】
ＲＯＭ２０ｂは、モータ８の制御、ＬＥＤ１０の制御、カーエアコンの制御、および制御装置２０全体の制御を行うための、制御プログラムや関数を予め記憶させるものである。なお、このＲＯＭ２０ｂは、カーエアコンに予め備えられているものであり、余っている記憶容量を、モータ８およびＬＣＤ１０を制御するための制御プログラムや関数を記憶させるために使用している。
【００２６】
ＥＥＰＲＯＭ２０ｃは、ＣＰＵ２０ａにより算出される値、カーエアコンのファンモータ２３、サーボモータ２４、冷却装置２６および加熱装置２７の制御状態、操作装置１のＬＥＤ１０およびモータ８の制御状態、ロータリエンコーダ９からの検出値、カーエアコンを制御するための各種センサからの検出値を記憶するものである。
【００２７】
なお、ファンモータ２３は、カーエアコンに備えられるファンを回転させるものである。また、サーボモータ２４は、吹出口から吹出される風量を調節するためのダンパを駆動するものであり、複数設けられるものであるが、説明を簡単にするため、サーボモータ２４で複数のサーボモータを表すものとする。また、冷却装置２６は、冷房の際に設定温度および各種センサからの検出値に応じて空気を冷却するものであり、加熱装置２７は、暖房の際に設定温度および各種センサからの検出値に応じて空気を加熱するものである。
【００２８】
特に、本実施形態では、風量設定時、温度設定時、吹出口設定時のそれぞれにおいてモータ８からロータリノブ４に付与する力覚のパターンを、図４〜６に示すように設定してある。
【００２９】
風量設定時の力覚のパターン３０は、図４に示すように、風量の設定に使用されるロータリノブ４の回転範囲の上限３１において、この上限３１を上回る方向へのロータリノブ４の回転操作を阻止し、風量の設定に使用されるロータリノブ４の回転範囲の下限３２において、この下限３２を下回る方向へのロータリノブ４の回転操作を阻止するように設定してある。なお、ロータリノブ４の回転の阻止は、ロータリノブ４の回転方向と反対方向の回転力を、操作者がこれ以上回転させることができないと認識するほど大きくし、操作者が無理やりロータリノブ４を回転操作してロータリノブ４の回転角が上限３１または下限３２を超えたときには、操作者がロータリノブ４から手指を離したときに、ロータリノブ４を上限３１または下限３２に復帰させることにより行う。
【００３０】
また、風量設定時の力覚のパターン３０は、ロータリノブ４の回転角が風量の各段階、すなわち「ＡＵＴＯ」、「１」〜「６」のそれぞれに対応する回転角に達すると、ロータリノブ４にクリック感触３３が発生するように設定してある。なお、クリック感触３３は、ロータリノブ４に回転角が「ＡＵＴＯ」、「１」〜「６」のそれぞれに対応する回転角に達したときに、ロータリノブ４の回転方向と同方向の予め設定した大きさの回転力をモータ８からロータリノブ４に一時的に与えることによって、または、ロータリノブ４の回転方向と同方向の予め設定した大きさの回転力に続けて反対方向の予め設定した大きさの回転力をモータ８からロータリノブ４に一時的に与えることによって発生させる。なお、後述するクリック感触４３、５１についても同様にして発生させる。
【００３１】
また、風量設定時の力覚のパターン３０は、図４の黒塗り部に示すように、ロータリノブ４が風量を増加させる方向に回転すると、ロータリノブ４の回転方向と反対方向の回転力がモータ８からロータリノブ４に付与され、風量を増加させる方向のロータリノブ４の回転角の増加に伴って、ロータリノブ４の回転方向と反対方向の回転力が増大するように設定してある。また、ロータリノブ４が風量を減少させる方向に回転させていくと、モータ８からロータリノブ４に付与される抵抗力が小さくなっていくように設定してある。
【００３２】
温度設定時の力覚のパターン４０は、図５に示すように、温度の設定に使用されるロータリノブ４の回転範囲の上限４１において、この上限４１を上回る方向へのロータリノブ４の回転操作を阻止し、温度の設定に使用されるロータリノブ４の回転範囲の下限４２において、この下限４２を下回る方向へのロータリノブ４の回転を操作阻止するように設定してある。
【００３３】
また、温度設定時の力覚のパターン４０は、ロータリノブ４の回転角が１℃に対応する回転角変化する度毎に、風量設定時のクリック感触３３より小さいクリック感触４４が発生するように設定してある。
【００３４】
吹出口設定時の力覚のパターン５０は、図６に示すように、ロータリノブ４の回転操作を阻止ししないようにし、すなわち、上述の風量設定時および温度設定時のような回転範囲を設定しないようにし、ロータリノブ４の回転角が各吹出口の設定に対応する回転角に達する度毎に、ロータリノブ４にクリック感触５１が発生するように設定してある。
【００３５】
このように構成した本実施形態は、次のように動作する。
【００３６】
＜風量の設定＞
風量を設定する場合の動作について説明する。
【００３７】
はじめに、操作装置１は、制御装置２０によって、表示部２の第１〜第３表示エリア２Ａ〜２Ｃのそれぞれに、前回設定された風量の設定値、温度の設定値および吹出口の設定状態を表示し、ロータリノブ４が回転しても風量、温度および吹出口のいずれの設定も変更されない状態、すなわち、表示モードに制御されている。このとき、第１表示エリア２Ａには、風量の設定値として「３」が表示されている。すなわち、「０」〜「６」、「０」と「１」の間のバー、「１」と「２」の間のバー、「２」と「３」の間のバーが点灯している。
【００３８】
この状態で、操作者、例えば運転者が、親指と中指でロータリノブ４の突出部４ａを把持した状態で、人差指で第１選択ボタン３Ａを押圧操作すると、第１ボタンホルダ７Ａを介して第１押ボタンスイッチ１６Ａが押圧操作され、この第１押ボタンスイッチ１６Ａから制御装置２０にＯＮ信号が入力される。
【００３９】
すると、制御装置２０により操作装置１の制御が行われ、これにより、操作装置１は、風量の設定を変更可能な状態、すなわち、風量設定モードになる。このとき、表示部２では、第１表示エリア２Ａの風量の設定値の表示みが点灯し、第２表示エリア２Ｂの温度の設定値の表示と、第３表示エリア２Ｃの吹出口の設定状態の表示とが消灯する。
【００４０】
そして、操作者がロータリノブ４を回転操作し、ロータリエンコーダ９から制御装置２０にロータリノブ４の回転角を示す検出信号が入力されると、制御装置２０によりＬＣＤ１０が制御される。これにより、第１表示エリア２Ａに表示されている風量の設定値が、前回の設定値から増減する。
【００４１】
つまり、ロータリノブ４を図１の右方向に回転させていくと、「０」〜「６」、「０」と「１」の間のバー、「１」と「２」の間のバー、「２」と「３」の間のバーに加えて、「３」と「４」の間のバー、「４」と「５」の間のバー、「５」と「６」の間のバーの順に点灯していく。また、ロータリノブ４を左方向に回転させていくと、「３」と「２」の間のバー、「２」と「１」の間のバー、「１」と「０」の間のバーの順に消灯していく。そして、さらにロータリノブ４を左方向に回転操作すると、「０」〜「６」も消灯し、「ＡＵＴＯ」のみが点灯する。
【００４２】
また、制御装置２０では、このようにして第１表示エリア２Ａの風量の表示を変化させる一方で、モータ８の制御が行われている。これにより、ロータリエンコーダ９により検出される回転角が、「ＡＵＴＯ」「１」、「２」・・・「６」に対応する回転角になる度毎に、操作者はロータリノブ４からクリック感触３３を得る。また、ロータリノブ４の回転角が「０」に対応する回転角に達したときに、操作者はクリック感触３４よりも大きいクリック感触３４を得る。また、操作者は、ロータリノブ４を、風量を増加させる方向に回転させるほどロータリノブ４から大きな抵抗力を受け、風量を減少させる方向に回転させるほど、ロータリノブ４から小さな抵抗力を受ける。また、操作者は、最大風量を示す「６」に対応する回転角を上回る方向へロータリノブ４を回転させようとすると、ロータリノブ４から大きな抵抗力を受けて回転操作を阻止され、自動制御を示す「ＡＵＴＯ」に対応する回転角を下回る方向へロータリノブ４を回転させようとしたときも、ロータリノブ４から大きな抵抗力を受けて回転操作を阻止される。
【００４３】
ロータリノブ４の操作が所定時間、例えば２秒間行われなくなると、制御装置２０により操作装置１が制御され、これにより、操作装置１は、風量の設定値の表示、温度の設定値の表示、吹出口の設定状態の表示のすべてを点灯させるとともに、ロータリノブ４を回転させても、いずれの設定も変更されない表示モードに戻る。
【００４４】
そして、ファンモータ２３、サーボモータ２４が、制御装置２０によって制御され、ファンが今回設定された風量に対応する回転速度で駆動し、ダンパが今回設定された風量に対応する開度に調整される。
【００４５】
＜温度の設定＞
温度を設定する場合の動作について説明する。
【００４６】
はじめに、操作装置１は表示モードになっており、このとき、表示部２の第２表示エリア２Ｂには、温度の設定値として例えば２４℃を示す「２４」が表示されている。
【００４７】
そして、操作者が第２選択ボタン３Ｂを押圧操作し、第２ボタンホルダ７Ｂを介して第２押ボタンスイッチ１６Ｂが押圧操作され、この第２押ボタンスイッチ１６Ｂから制御装置２０にＯＮ信号が入力される。
【００４８】
すると、制御装置２０により操作装置１が制御され、これにより、操作装置１は、温度の設定を変更可能な状態、すなわち、温度設定モードになる。このとき、表示部２では、第２表示エリア２Ｂの温度の設定値の表示のみが点灯し、第１表示エリア２Ａの風量の設定値の表示と、第３表示エリア２Ｃの吹出口の設定状態の表示とが消灯する。
【００４９】
そして、操作者がロータリノブ４を回転操作し、ロータリエンコーダ９から制御装置２０に検出信号が入力されると、制御装置２０によりＬＣＤ１０が制御され、これにより、第２表示エリア２Ｂに表示される温度の設定値が、前回の設定値から増減する。
【００５０】
つまり、ロータリノブ４を図１の右方向に回転させていくと、第２表示エリア２Ｂに「２４」と表示されていたものが、「２５」、「２６」・・・「３０」と１ずつ増加していき、左方向に回転させていくと「２３」、「２２」・・・「１６」と１ずつ減少していく。
【００５１】
また、制御装置２０では、このようにして第２表示エリア２Ｂの温度の設定値を示す数字を増減させる一方で、モータ８の制御が行われている。これにより、ロータリエンコーダ９により検出される回転角が、１℃に対応する回転角変化する度毎に、操作者はロータリノブ４からクリック感触４４を得る。
【００５２】
ロータリノブ４の操作が２秒間行われなくなると、制御装置２０により操作装置１が制御され、これにより、操作装置１は、風量の設定値の表示、温度の設定値の表示、吹出口の設定状態の表示のすべてを点灯させるとともに、ロータリノブ４を回転させても、いずれの設定も変更されない表示モードに戻る。
【００５３】
そして、制御装置２０によって、今回設定された温度に応じてカーエアコンが制御される。つまり、暖房の場合には加熱装置２６が制御され、冷房の場合には冷却装置２７が制御される。
【００５４】
＜吹出口の設定＞
吹出口を設定する場合の動作について説明する。
【００５５】
はじめに、操作装置１は表示モードになっており、このとき、表示部２の第３表示エリア２Ｃには、吹出口の設定状態として例えば胴側のみへの送風が表示されている。
【００５６】
そして、操作者が第３選択ボタン３Ｃを押圧操作し、第３ボタンホルダ７Ｃを介して第３押ボタンスイッチ１６Ｃが押圧操作されると、この第３押ボタンスイッチ１６Ｃから制御装置２０にＯＮ信号が入力される。
【００５７】
すると、制御装置２０により操作装置１が制御され、これにより、操作装置１は、吹出口の設定を変更可能な状態、すなわち、吹出口設定モードになる。このとき、表示部２では、第３表示エリア２Ｃの吹出口の設定状態の表示のみが点灯し、第２表示エリア２Ｂの温度の設定値の表示と、第１表示エリア２Ａの風量の設定値の表示とが消灯する。
【００５８】
そして、操作者がロータリノブ４を回転操作し、ロータリエンコーダ９から制御装置２０に検出信号が入力されると、制御装置２０によってＬＣＤ１０が制御され、これにより、第３表示エリア２Ｃの表示が、前回設定された胴のみの送風から、他の吹出口の設定状態の表示に切り換わる。
【００５９】
つまり、ロータリノブ４を図１の右方向に回転させていくと、吹出口の設定状態として胴のみへの送風と表示されていたものが、胴側と顔側への送風の表示、顔側、胴側および足側への送風の表示、足側のみへの送風の表示へと切り換わっていき、左方向に回転させていくと、足側と胴側への送風の表示、足側のみへの送風の表示、顔側、胴側および足側への送風の表示へと切り換わっていく。
【００６０】
また、制御装置２０では、このようにして第３表示エリア２Ｃに表示される吹出口の設定状態の表示を変化させる一方で、モータ８の制御が行われている。これにより、例えば、ロータリエンコーダ９により検出される回転角が、足側のみへの送風、足側と胴側への送風、胴側のみへの送風、胴側と顔側への送風、顔側、胴側および足側への送風に対応する回転角のそれぞれに達する度毎に、操作者はロータリノブ４からクリック感触５１を得る。
【００６１】
ロータリノブ４の操作が２秒間行われなくなると、制御装置２０によって操作装置１が制御され、これにより、操作装置１は、風量の設定値の表示、温度の設定値の表示、吹出口の設定状態の表示のすべてを点灯させるとともに、ロータリノブ４を回転させても、いずれの設定も変更されない表示モードに戻る。
【００６２】
そして、サーボモータ２４が制御装置２０によって制御され、これにより、今回設定された吹出口に対応するダンパが開き、対応しないダンパが閉じる。
【００６３】
本実施形態は、次の効果を奏する。
【００６４】
風量設定時にロータリノブ４から得る感触と、吹出口設定時にロータリノブ４から得る感触とが、ロータリノブ４の回転を阻止されるか否かで異なっているので、風量設定時にロータリノブ４から得る感触と吹出口設定時にロータリノブ４から得る感触とを確実に識別することができる。この結果、どの制御項目の設定を行っているかを認識しやすくすることができる。
【００６５】
また、温度設定時にロータリノブ４から得る感触と、吹出口設定時にロータリノブ４から得る感触とが、ロータリノブ４の回転を阻止されるか否かで異なっているので、温度設定時にロータリノブ４から得る感触と吹出口設定時にロータリノブ４から得る感触とを確実に識別することができる。この結果、どの制御項目の設定を行っているかを認識しやすくすることができる。
【００６６】
さらに、風量設定時にロータリノブから得る感触と、温度設定時にロータリノブ４から得る感触とが、ロータリノブ４の回転角の増減に応じてロータリノブ４から得る抵抗力が増減するか否かで異なっているので、温度設定時にロータリノブ４から得る感触と風量設定時にロータリノブから得る感触とを確実に識別することができる。この結果、どの制御項目の設定を行っているかを確実に認識することができる。
【００６７】
なお、本実施形態は、カーエアコンを操作するためのものであるが、本発明はこれに限るものではなく、表示エリアの数や表示内容、選択ボタンの数を変更するなどして、車載用ラジオ、ＣＤプレイヤ、ＭＤプレイヤなど音質や音量の設定を行うための車載用設定装置としてもよい。また、電気機器は特に車載用のものに限るものではないが、特に、車載用電気機器のように、運転者が運転中に操作部をなるべく見ずに操作する必要があるものに適している。
【図面の簡単な説明】
【００６８】
【図１】本発明の一実施形態に備えられる操作装置１の正面図である。
【図２】図１に示す操作装置１の構成を示す分解斜視図である。
【図３】本実施形態の電気系統を示すブロック図である。
【図４】本実施形態によりカーエアコンの風量を設定するときの力覚のパターンを示す模式図である。
【図５】本実施形態によりカーエアコンの温度を設定するときの力覚のパターンを示す模式図である。
【図６】本実施形態によりカーエアコンの吹出口を設定するときの力覚パターンを示す模式図である。
【符号の説明】
【００６９】
１    操作装置
２    表示部
２Ａ  第１表示エリア
２Ｂ  第２表示エリア
２Ｃ  第３表示エリア
３Ａ  第１選択ボタン
３Ｂ  第２選択ボタン
３Ｃ  第３選択ボタン
４    ロータリノブ
２０  制御装置
３０  風量設定時の力覚のパターン
４０  温度設定時の力覚のパターン
５０  吹出口設定時の力覚のパターン
【図１】
2005081908.tif 000003
【図２】
2005081908.tif 000004
【図３】
2005081908.tif 000005
【図４】
2005081908.tif 000006
【図５】
2005081908.tif 000007
【図６】
2005081908.tif 000008